(57)【要約】【課題】電子ペーパを任意の場所で恰も紙のように扱いながら、電子ペーパが表示すべき画像の画像データを秘匿性を維持した状態で電子ペーパに供給できるようにする。【解決手段】電子ペーパ１のそれぞれに個別の識別情報を設定しておき、係合したメモリクリップ２に対して電子ペーパ１から識別情報を含む許容信号を送信する（Ｓ１２）。メモリクリップ２は、受信した許容信号に含まれる識別情報を予め記憶している識別情報と比較し（Ｓ５）、両者が一致する場合にのみ画像メモリ５２内の画像データを電子ペーパ１に送信し（Ｓ７）、両者が一致しない場合には画像データを表示できない旨の非表示通知を送信する（Ｓ６）。【選択図】図４
2006017906.tif 000002
【特許請求の範囲】
【請求項１】
シート体の周縁部の一部に係合する係合部を有する可搬型の記録媒体と、周縁部の少なくとも一部を除く範囲に表示面を形成したシート状の電子ペーパと、を含む画像表示システムであって、
前記電子ペーパは、前記伝送手段から伝送された画像データを受信するペーパ側受信手段と、ペーパ側受信手段が受信した画像データの画像を前記表示面に表示する画像表示手段と、固有の識別情報を送信する送信手段と、を備え、
前記記録媒体は、外部装置から画像データの入力を受ける入力手段と、入力手段に入力された画像データを記憶するメモリと、前記メモリに記憶した画像データを前記電子ペーパに伝送する伝送手段と、前記係合部に対する操作を検出する検出手段と、前記電子ペーパから送信された識別情報を受信する媒体側受信手段と、前記検出手段の検出結果、及び、前記媒体側受信手段が受信した識別情報に基づいて前記伝送手段による画像データの伝送を制御する制御手段と、を備えたことを特徴とする画像表示システム。
【請求項２】
前記記録媒体は、画像データを伝送すべき電子ペーパに固有の識別情報を予め記憶する識別情報メモリを備え、前記媒体側受信手段が受信した識別情報が識別情報メモリに記憶している識別情報に一致する場合に画像データを伝送することを特徴とする請求項１に記載の画像表示システム。
【請求項３】
前記記録媒体において、前記識別情報メモリは、前記識別情報を画像データ毎に記憶しており、前記媒体側受信手段が受信した識別情報に対応した画像データを伝送することを特徴とする請求項２に記載の画像表示システム。
【請求項４】
シート体の周縁部の一部に係合する係合部と、外部装置から画像データの入力を受ける入力手段と、入力手段に入力された画像データを記憶するメモリと、前記メモリに記憶した画像データを前記係合部が係合しているシート状の電子ペーパに伝送する伝送手段と、画像データを伝送すべき電子ペーパを特定する識別情報を記憶した識別情報メモリと、各電子ペーパに固有の識別情報を受信する媒体側受信手段と、前記係合部に対する操作を検出する検出手段と、前記検出手段が前記係合部に対する操作を検出した後に前記媒体側受信手段が受信した識別情報が識別情報メモリに記憶している識別情報に一致する場合に画像データを前記電子ペーパに伝送する制御手段と、を備えたことを特徴とする記録媒体。
【請求項５】
前記識別情報メモリは、前記識別情報を画像データ毎に記憶しており、前記媒体側受信手段が受信した識別情報に対応する画像データを伝送することを特徴とする請求項４に記載の記録媒体。
【請求項６】
シート体の周縁部の一部に係合する係合部を有する可搬型の記録媒体を介して、周縁部の少なくとも一部を除く範囲に表示面を形成したシート状の電子ペーパに、前記表示面に表示すべき画像の画像データを伝送するデータ伝送方法であって、
前記電子ペーパが表示すべき画像データを外部装置から前記記録媒体に入力し、入力された画像データを前記記録媒体において記録し、前記記録媒体の係合部が係合した電子ペーパから送信された識別情報に基づいて前記記録媒体から予め定められた電子ペーパにのみ画像データを伝送することを特徴とするデータ伝送方法。
【発明の詳細な説明】
【技術分野】
【０００１】
この発明は、ペーパライクディスプレイ又はリライタブルペーパを含む電子ペーパに画像データに基づく画像を表示させる電子ペーパシステム、電子ペーパが表示すべき画像データを記録した記録媒体、及び、電子ペーパが表示すべき画像データを記録媒体を介して電子ペーパに伝送するためのデータ伝送方法に関する。
【背景技術】
【０００２】
近年、画像を表示する表示手段としてペーパライクディスプレイ又はリライタブルペーパとも呼ばれる電子ペーパを用いた表示システム（電子ペーパシステム）が多数提案されている（例えば、特許文献１参照。）。電子ペーパは、携帯性や視認性に優れた紙の特性と表示内容を繰り返し書き換えることができるディスプレイの特性とを兼ね備え、外部装置から書き込まれた画像情報を表示する可撓性を有する薄型の表示手段である。
【特許文献１】特開２００２−２４４６２０号公報
【発明の開示】
【発明が解決しようとする課題】
【０００３】
しかしながら、従来の電子ペーパシステムでは、電子ペーパが表示すべき画像の画像データを電子ペーパに供給する際にパーソナルコンピュータや専用の大型書込装置を用いて電子ペーパに画像情報を書き込むようにしており、パーソナルコンピュータや専用の大型書込装置が設置されている所定の場所でしか電子ペーパに画像データを供給することができなかった。一方、任意の電子ペーパに画像データを供給できるようにした場合、特定の者にのみ表示すべき秘匿性のある画像データが、不特定の者にも表示されて外部に漏洩する問題がある。
【０００４】
この発明の目的は、電子ペーパを任意の場所で恰も紙のように扱いながら、かつ、情報の漏洩を防止した上で、電子ペーパが表示すべき画像の画像データを電子ペーパに供給できる電子ペーパシステム、記録媒体及びデータ書込方法を提供することにある。
【課題を解決するための手段】
【０００５】
上記の課題を解決するための手段として、この発明の画像表示システムは、以下の構成を備えたものである。
【０００６】
（１）シート体の周縁部の一部に係合する係合部を有する可搬型の記録媒体と、周縁部の少なくとも一部を除く範囲に表示面を形成したシート状の電子ペーパと、を含む画像表示システムであって、
前記電子ペーパは、前記伝送手段から伝送された画像データを受信するペーパ側受信手段と、ペーパ側受信手段が受信した画像データの画像を前記表示面に表示する画像表示手段と、固有の識別情報を送信する送信手段と、を備え、
前記記録媒体は、外部装置から画像データの入力を受ける入力手段と、入力手段に入力された画像データを記憶するメモリと、メモリに記憶した画像データを前記電子ペーパに伝送する伝送手段と、前記係合部に対する操作を検出する検出手段と、前記電子ペーパから送信された識別情報を受信する媒体側受信手段と、前記検出手段の検出結果、及び、前記媒体側受信手段が受信した識別情報に基づいて前記伝送手段による画像データの伝送を制御する制御手段と、を備えたことを特徴とする。
【０００７】
この構成においては、外部装置から記録媒体に入力されて記録媒体のメモリに記憶された画像データが、記録媒体の係合部を電子ペーパの周縁部の一部に係合させるための操作がされた後、その電子ペーパから送信された識別情報に基づいて電子ペーパに伝送される。
【０００８】
したがって、電子ペーパから送信された識別情報が適正でない場合には電子ペーパに対して記録媒体から画像データが伝送されず、秘匿性のある画像データの漏洩が防止される。
【０００９】
（２）前記記録媒体は、画像データを伝送すべき電子ペーパに固有の識別情報を予め記憶する識別情報メモリを備え、前記媒体側受信手段が受信した識別情報が識別情報メモリに記憶している識別情報に一致する場合に画像データを伝送することを特徴とする。
【００１０】
この構成においては、外部装置から記録媒体に入力されて記録媒体のメモリに記憶された画像データが、記録媒体の係合部を電子ペーパの周縁部の一部に係合させるための操作がされた後、その電子ペーパから送信された識別情報が記録媒体に予め記憶されている識別情報に一致することを条件に電子ペーパに伝送される。
【００１１】
したがって、記録媒体に予め記憶されている識別情報と異なる識別情報を送信する電子ペーパに対しては、記録媒体から画像データが伝送されず、秘匿性のある画像データの漏洩が防止される。
【００１２】
（３）前記記録媒体において、前記識別情報メモリは、前記識別情報を画像データ毎に記憶しており、前記媒体側受信手段が受信した識別情報に対応した画像データを伝送することを特徴とする。
【００１３】
この構成においては、記録媒体の係合部を電子ペーパの周縁部の一部に係合させるための操作がされた後、その電子ペーパから送信された識別情報に対応した画像データが記録媒体から電子ペーパに伝送される。
【００１４】
したがって、記録媒体に記憶されている画像データのうち、記録媒体が係合している電子ペーパに対応した画像データのみが記録媒体からその電子ペーパに伝送され、記録媒体が係合している電子ペーパに対応していない画像データが表示されることがなく、秘匿性のある画像データの漏洩が防止される。
【発明の効果】
【００１５】
この発明によれば、以下の効果を奏することができる。
【００１６】
（１）記録媒体が係合している電子ペーパから送信された識別情報が適正でない場合には電子ペーパに対して記録媒体から画像データが伝送されず、秘匿性のある画像データが電子ペーパに表示されて漏洩してしまうことを防止できる。
【００１７】
（２）記録媒体に記録されている識別情報と異なる識別情報を送信した電子ペーパに対しては記録媒体から画像データが伝送されることがなく、秘匿性のある画像データが不特定の場所で電子ペーパに表示されて漏洩してしまうことを防止できる。
【００１８】
（３）記録媒体が係合した電子ペーパに対応した画像データのみが記録媒体から電子ペーパに伝送され、各画像データの秘匿性に応じて各画像データを表示できる電子ペーパを設定することができる。
【発明を実施するための最良の形態】
【００１９】
図１は、この発明の実施形態に係る画像表示システムを構成する電子ペーパの平面図である。電子ペーパ１は、可撓性を有する矩形のシート体であり、周縁部１１を除く部分に表示画面（この発明の表示面である。）１２が形成されている。表示画面１２は、ツイスティングボールディプレイ、電気泳動ディスプレイ、電解析出・溶解式ティスプレイ又は有機ＥＬディスプレイ等の何れかによって構成される。周縁部１１は、電子ペーパ１の周囲の全周にわたって所定幅で形成されているが、電子ペーパ１の周囲の少なくとも一部に形成されていれば充分である。この周縁部１１には、この発明のペーパ側受信手段に含まれるアンテナ１３が備えられている。
【００２０】
図２は、上記画像表示システムを構成する記録媒体であるメモリクリップを示す図である。図２（Ａ）はメモリクリップの前面図であり、図２（Ｂ）及び（Ｃ）はそれぞれ図２（Ａ）におけるＸ１−Ｘ１′部分及びＸ２−Ｘ２′部分の側面断面図である。メモリクリップ２は、本体２１と把持体２２とからなる。本体２１の背面には凹部２１ｂが形成されており、把持体２２の前面にはストッパ２２ｂが突出している。ストッパ２２ｂの前端は凹部２１ｂに嵌入している。本体２１の背面及び把持体２２の前面のそれぞれにおける凹部２１ｂ及びストッパ２２ｂの上方から軸支部２１ａ，２２ａが突出しており、軸支部２１ａ，２２ａを貫通するピン２３によって本体２１及び把持体２２が互いに回動自在にされている。
【００２１】
本体２１の背面の下端部及び把持体２２の前面の下端部における互いに対向する位置には、スイッチ２９を構成する接点２１ｃ及び接点２２ｃが設けられている。スイッチ２９は、この発明の検出手段であり、本体２１と把持体２２との下端部の開閉状態を検出する。把持体２２の前面におけるストッパ２２ｂの下部には、アンテナ３０が配置されている。アンテナ３０は、この発明の伝送手段に含まれる。
【００２２】
ピン２３には捩じりバネ２４が外嵌しており、捩じりバネ２４の両端から本体２１の背面及び把持体２２の前面のそれぞれの上部に互いに離間する方向に弾性力が作用している。これによって、メモリクリップ２に外力が作用していない状態で、本体２１の背面及び把持体２２の前面のそれぞれの下端部が互いに当接する方向に付勢されている。この状態から、本体２１の前面の上部と把持体２２の背面の上部とが手指によって捩じりバネ２４の弾性力に抗して互いに近接する方向に押圧されると、本体２１の背面の下端部と把持体２２の前面の下端部とが互いに離間し、この状態がスイッチ２９によって検出される。
【００２３】
即ち、メモリクリップ２に対して通常のペーパクリップによってシート体を把持する場合と同様の操作（使用時操作）がされたことが、スイッチ２９によって検出される。一例として、メモリクリップ２に対して使用時操作がされ、本体２１の背面の下端部と把持体２２の前面の下端部とが互いに離間した際に、スイッチ２９がオン信号を出力する。本体２１の背面の下端部及び把持体２２の前面の下端部が、この発明の係合部に相当する。また、上記使用時操作が、この発明の係合部に対する操作である。
【００２４】
本体２１の前面には、表示器２５及び選択キー２６が設けられている。選択キー２６は、上下左右のカーソルキーと確定キーとからなる。電子ペーパ１に送信すべき画像データの選択操作を受け付ける。メモリクリップ２は、複数枚の画像データを記憶している場合、選択キー２６によって選択された画像データを電子ペーパ１に送信する。選択キー２６によって選択された画像データの番号が表示器２５に表示される。
【００２５】
また、本体２１の一方の側面からは接続端子２７が突出している。この接続端子２７は、一例としてＵＳＢコネクタによって構成されており、この発明の入力手段に含まれる。本体２１の内部には、この発明の制御手段に相当する制御部が内蔵されており、表示器２５、選択キー２６、接続端子２７及びスイッチ２９は制御部に電気的に接続されている。また、本体２１の制御部は、フレキシブル基板２８を介して把持体２２のアンテナ３０に電気的に接続されている。
【００２６】
図３は、上記画像表示システムの構成を示すブロック図である。画像表示システム１０は、電子ペーパ１とメモリクリップ２とによって構成されている。電子ペーパ１は、画像メモリ４２、インタフェース回路４３、表示制御回路４４及びメモリ４６が接続されたＣＰＵ４１を備えている。インタフェース回路４３は、アンテナ１３とともにこの発明のペーパ側受信手段を構成しており、メモリクリップ２から送信された画像データをアンテナ１３を介して受信する。画像メモリ４２は、インタフェース回路４３が受信した画像データを記憶する。メモリ４６は、電子ペーパ１毎に個別の識別情報を記憶している。
【００２７】
ＣＰＵ４１は、画像メモリ４２に記憶されている画像データを読み出し、画像データに基づいて表示データを作成して表示制御回路４４に出力する。表示制御回路４４は、ＣＰＵ４１から入力された表示データに基づいて表示画面１２を駆動し、メモリクリップ２から送信された画像データの画像を表示する。ＣＰＵ４１及び表示制御回路４４には、電源供給回路４５から電源が供給される。また、ＣＰＵ４１は、メモリ４６が記憶している識別情報を、インタフェース回路４３を介してアンテナ１３から送信する。
【００２８】
メモリクリップ２は、画像メモリ５２、表示制御回路５３、インタフェース回路５４，５５、選択キー２６、スイッチ２９、通信回路５７及び識別情報メモリ５７が接続されたＣＰＵ５１を備えている。インタフェース回路５４は、ＵＳＢコネクタ２７とともにこの発明の入力手段を構成しており、ＵＳＢコネクタ２７を介して図示しない外部装置から画像データの入力を受ける。外部装置は、画像データを処理することができる装置であり、例えば、パーソナルコンピュータ、携帯情報端末、ＰＤＡ、デジタルカメラ又はファクシミリ装置等の装置である。メモリクリップ２は、ＵＳＢコネクタ２７において外部装置に接続された状態で、少なくとも画像データの入力を受ける。なお、インタフェース回路５４は、メモリクリップ２が記憶している画像データを外部装置に出力するものであってもよい。
【００２９】
画像メモリ５２は、この発明のメモリであり、インタフェース回路５４から入力された画像データを記憶する。ＣＰＵ５１は、画像メモリ５２が記憶している画像データのファイル数を計数し、計数したファイル数を表示制御回路５３を介して表示器２５に表示する。なお、ＣＰＵ５１は、操作キー２６が操作された際に表示器２５にファイル数を表示するものとすることができる。使用者は、操作キー２６を操作した際に、表示器２５にファイル数が表示されるか否かによって、メモリクリップ２に画像データが記憶されているか否かを確認できる。また、メモリクリップ２の本体２１と把持体２２との間に電子ペーパ１が把持されていない状態で所定時間が経過した際に表示器２５の表示を終了し、電力消費量を低減するようにしてもよい。
【００３０】
識別情報メモリ５７は、画像メモリ５２が記憶している画像データの伝送が許可された電子ペーパ１の識別情報を予め記憶している。識別情報メモリ５７は、メモリクリップ２からの画像データの伝送が許可されている単一又は複数の電子ペーパ１の識別情報を記憶することができ、この識別情報をメモリクリップ２が記憶している画像データ毎に記憶するものであってもよい。
【００３１】
インタフェース回路５５は、この発明の伝送手段及び媒体側受信手段であり、アンテナ３０を介して画像データを送信する。ＣＰＵ５１は、スイッチ２９が本体２１の下端部と把持体２２の下端部との開放状態を検出した際、又は、スイッチ２９が本体２１と把持体２２との間に電子ペーパ１が把持されたことを検出した際に、表示器２６に表示している数値に対応するファイル番号の画像データをインタフェース回路５５を介してアンテナ３０から送信する。また、インタフェース回路５５は、電子ペーパ１から送信された識別情報をアンテナ３０を介して受信する。
【００３２】
ＣＰＵ５１、表示制御回路５３及びインタフェース回路５５には、バッテリを備えた電源供給回路５６から電源が供給される。
【００３３】
以上の構成により、この発明の画像表示システム１０は、電子ペーパ１の表示画面１２に表示させるべき画像の画像データを外部装置からメモリクリップ２に一旦格納した後に、インタフェース回路５５が電子ペーパ１から受信した識別情報に基づいて、メモリクリップ２から電子ペーパ１に伝送する。なお、電子ペーパ１及びメモリクリップ２は公知の電磁結合方式のＲＦＩＤ（Radio Frequency Identification）システムを備えており、電子ペーパ１にＩＣタグの機能が搭載され、メモリクリップ２にリーダライタ機能が搭載されている。
【００３４】
メモリクリップ２は、インタフェース回路５５と電子ペーパ１のインタフェース回路４３との間でデータの送受信を行い、特定の電子ペーパ１を選択して画像データを送信する。したがって、複数枚の電子ペーパ１が近接している場合でも、予め定められた特定のペーパ１に対してメモリクリップ２から画像データが伝送される。
【００３５】
図４は上記画像表示システムにおける画像データの伝送手順を示すフローチャートであり、（Ａ）はメモリクリップにおける処理手順を示し、（Ｂ）は電子ペーパにおける処理手順を示す。メモリクリップ２のＣＰＵ５１は、スイッチ２９がメモリクリップ２に対する使用時操作を検出することを待機しており（Ｓ１）、スイッチ２９がオン信号を出力するとインタフェース回路５５を介して準備信号を受信する（Ｓ２）。この準備信号は、上述のＲＦＩＤシステムにおいてリーダライタからＩＣタグにデータの送信開始を通知する信号である。この準備信号は、メモリクリップ２が対応する特定の電子ペーパ１に予め割り当てられた周波数の電力搬送波である。
【００３６】
準備信号を送信したメモリクリップ２に近接して対応する電子ペーパ１が位置していると、準備信号がその電子ペーパ１のアンテナ１３によって受信される。受信された準備信号はアンテナ１３に接続されたコイルに通電され、コイルに接続された整流器に電流が流れる。整流器に所定値以上の電流が流れると、電源供給回路４５に一定値以上の電圧が発生し、電子ペーパ１のＣＰＵ４１が起動する。
【００３７】
電子ペーパ１のＣＰＵ４１は、起動後に準備信号を受信すると許容信号を送信する（Ｓ１１→Ｓ１２）。この許容信号は、上述のＲＦＩＤシステムにおいてＩＣタグからリーダライタにデータの受信可能状態を通知する信号であり、電子ペーパ１を特定するために各電子ペーパに固有に設定されている識別情報を含む。
【００３８】
メモリクリップ２のＣＰＵ５１は、準備信号を送信した後に所定時間内において許容信号が送信されるのを待機している（Ｓ３，Ｓ４）。ＣＰＵ５１は、電子ペーパ１から送信された許容信号を受信すると、許容信号に含まれる識別情報を識別情報メモリ５７内に記憶している識別情報と比較し（Ｓ５）、両者が一致しない場合には画像データを表示できない旨の非表示通知を送信する（Ｓ６）。ＣＰＵ５１は、許容信号に含まれる識別情報が識別情報メモリ５７内に記憶している識別情報と一致する場合には、画像メモリ５２に記憶している画像データをインタフェース回路５５を介して送信する（Ｓ７）。
【００３９】
電子ペーパ１のＣＰＵ４１は、インタフェース回路４３を介してメモリクリップ２から送信された非表示通知を受信すると（Ｓ１３）、画像データを表示できない旨の報知する画像を表示画面１２に表示する（Ｓ１４）。
【００４０】
電子ペーパ１のＣＰＵ４１は、非表示通知を受信することなく画像データを受信すると（Ｓ１５）、受信した画像データを画像メモリ４２に順次格納し（Ｓ１６）、画像データの格納が完了すると書込完了信号を送信する（Ｓ１７）。この後、ＣＰＵ４１は、画像メモリ４２内の画像データに基づいて表示データを作成し（Ｓ１８）、作成した表示データによって画像を表示画面１２に表示する（Ｓ１９）。
【００４１】
なお、メモリクリップ２のＣＰＵ５１は、画像データとともにその属性データを送信する。属性データとは、画像のサイズを表す情報、テキスト画像に関連するフォント、色、罫線及びファイル名等の情報、画像作成時のアプリケーションソフトの種類を表す情報、並びに、圧縮方式を表す情報等である。
【００４２】
以上の処理により、画像の表示が許可された電子ペーパ１の周縁部１１の一部を、通常のペーパクリップで紙の周縁部の一部を把持する操作と同様に、メモリクリップ２によって把持することにより、メモリクリップ２が記憶している画像データに基づいて電子ペーパ１の表示画面１２に画像表示させることができる。
【００４３】
なお、電子ペーパ１の周縁部１１の全周にわたってアンテナ１３を配置しておくことにより、電子ペーパ１の周縁部１１における何れの位置をメモリクリップ２によって把持しても、メモリクリップ２が記憶している画像データに基づいて電子ペーパ１の表示画面１２に画像表示させることができる。
【００４４】
但し、通常は、横書画像の場合には紙の左上部又は左辺中央部がペーパクリップによって把持され、縦書画像の場合には紙の右上部又は右辺中央部がペーパクリップによって把持されることを考慮すれば、少なくとも電子ペーパ１の周縁部１１における図５に示す位置にアンテナ１３を配置しておけばよい。この場合に、電子ペーパ１の周縁部１１においてアンテナ１３が配置されている位置に、例えば、メモリクリップ２の外観図を図示しておくことにより、メモリクリップ２によって把持すべき位置を認識できるようにしてもよい。この図によってメモリクリップ２を使用可能な電子ペーパ１であることを認識することもできる。
【００４５】
また、メモリクリップ２から送信される準備信号を受信できる位置にアンテナ１３が存在する状態であれば、その位置でメモリクリップ２に対する使用時操作が行われればよく、必ずしも現実にメモリクリップ２によって電子ペーパ１の周縁部１１の一部が把持される必要はない。
【００４６】
さらに、電子ペーパ１の電源供給部４５は、メモリクリップ２からの電力搬送波のみならず、独自のシート状バッテリを備えること、太陽電池を備えること、又は、メモリクリップ２に設けられた給電用接点に接合する接点を備えることによっても電力供給を受けることができる。
【００４７】
また、メモリクリップ２のそれぞれに固有の識別情報を付与しておき、電子ペーパ１に予め対応するメモリクリップ２の識別情報を記憶させておくこともできる。この場合、メモリクリップ２は、電子ペーパ１から送信された識別情報が自己の識別情報に一致するこを条件に、画像メモリ５２が記憶している画像データを電子ペーパ１に送信する。
【００４８】
図６は、上記画像表示システムにおいて別の画像データ送信処理を行う場合のメモリクリップにおける識別情報の記憶状態を示す図である。メモリクリップ２に記憶されている複数の画像データのそれぞれを、表示が許可された単一又は複数の電子ペーパ１においてのみ表示する場合、図６（Ａ）に示すように、識別情報メモリ５７の各メモリエリアに、画像メモリ５２内に記憶されている複数の画像データＧ（ここでは、Ｇ１〜Ｇ４）のそれぞれに対応して、その画像データを表示することが許可された単一又は複数の電子ペーパ１に設定されている識別情報が記憶される。
【００４９】
図６（Ａ）に示す例では、電子ペーパ１から識別情報Ａが送信された場合には画像データＧ１及びＧ２がメモリクリップ２から送信され、電子ペーパ１から識別情報Ｂが送信された場合には画像データＧ２及びＧ３がメモリクリップ２から送信され、電子ペーパ１から識別情報Ｃが送信された場合には画像データＧ３及びＧ４がメモリクリップ２から送信され、電子ペーパ１から識別情報Ｄが送信された場合には画像データＧ３がメモリクリップ２から送信される。
【００５０】
なお、図６（Ｂ）に示すように、複数の画像データＧ１１〜Ｇ１４のそれぞれに、各画像データを表示することが許可された互いに異なるそれぞれ単一の電子ペーパ１Ａ〜１Ｄに設定されている識別情報を記憶しておくことにより、単一のメモリクリップ２で４枚の電子ペーパ１Ａ〜１Ｄを積層した状態で挟み込んだ場合にも、複数の電子へーパスワード付き１Ａ〜１Ｄのそれぞれに互いに異なる画像を表示させることができる。この場合には、メモリクリップ２から各画像データのそれぞれに対応する電子ペーパ１の識別情報を付加して送信する。各電子ペーパ１Ａ〜１Ｄは、自己の識別情報が付加された画像データのみを受信する。
【００５１】
図７は、上記画像表示システムにおけるメモリクリップの別の画像データ送信処理の詳細を示すフローチャートである。この例では、メモリクリップ２のＣＰＵ５１は、画像メモリ５２に複数の画像データを記憶しており、識別情報メモリ５７に図６（Ａ）に示すように、画像データ毎に表示することが許可された電子ペーパ１の識別情報を記憶している。
【００５２】
ＣＰＵ５１は、スイッチ２９がメモリクリップ２に対する使用時操作を検出することを待機しており（Ｓ２１）、スイッチ２９がオン信号を出力するとインタフェース回路５５から準備信号を送信する（Ｓ２２）。ＣＰＵ５１は、準備信号を受信した電子ペーパ１から送信された許容信号を所定時間内に受信すると（Ｓ２３，Ｓ２４）、許容信号に含まれる識別情報が識別情報メモリ５７内に記憶されているか否かの判別を行う（Ｓ２５）。許容信号に含まれる識別情報が識別情報メモリ５７内に記憶されていない場合には、ＣＰＵ５１は、電子ペーパ１に非表示通知を送信する（Ｓ２６）。
【００５３】
許容信号に含まれる識別情報が識別情報メモリ５７内に記憶されている場合には、ＣＰＵ５１は、電子ペーパ１において表示することが許可された画像データが複数存在するか否かの判別を行う（Ｓ２７）。電子ペーパ１において表示することが許可された単一の画像データのみが存在する場合には、ＣＰＵ５１は、その画像データを送信し（Ｓ２８）、電子ペーパ１から送信された書込完了信号を受信すると処理を終了する（Ｓ２９）。
【００５４】
一方、電子ペーパ１において表示することが許可された画像データが複数存在する場合には、ＣＰＵ５１は、複数の画像データの画像を１枚の画像とした縮小画像データを作成して送信する（Ｓ３０）。
【００５５】
ＣＰＵ５１は、画像データを受信した電子ペーパ１において縮小画像データに基づく全ての画像が表示され、電子ペーパ１から送信された書込完了信号を受信すると（Ｓ３１）、選択キー２６の操作による画像の選択を待機する（Ｓ３２）。選択キー２６の操作によって何れかの画像データが選択されると、ＣＰＵ５１は、選択された画像データを送信し（Ｓ３３）、送信した画像データについて書込完了信号を受信すると（Ｓ２９，Ｓ３４）、次の選択キー２６の操作による画像の選択、又は、選択キー２６の中央に配置されている確定キーの操作を待機する（Ｓ３５，Ｓ３６）。カーソルキー及び確定キーからなる選択キーの操作による画像の選択操作の後に、確定キーのみが単独で操作された場合には、ＣＰＵ５１は、画像送信処理を終了する。
【００５６】
以上の処理により、電子ペーパ１において表示することができる画像データとしてメモリクリップ２に複数枚の画像データが記憶されている場合には、電子ペーパ１には図８（Ａ）に示すように、電子ペーパ１において表示可能な全ての画像データの画像を１枚の画像にした縮小画像が電子ペーパ１に表示される。使用者は、電子ペーパ１に表示されている縮小画像を参照して電子ペーパ１に表示させるべき１枚の画像を、メモリクリップ２の選択キー２６の操作によって選択する。一例として、メモリクリップ２の表示器２５は、選択キー２６のカーソルキーの操作に応じて表示する数値を増減させる。縮小画像において所望の画像に付された番号が表示器２５に表示されている状態で選択キー２６の確定キーを操作することにより、使用者の選択に係る画像が決定する。
【００５７】
電子ペーパ１及びメモリクリップ２が選択された画像を表示できる場所に位置している場合には、選択された画像データが電子ペーパ１に送信され、その画像が電子ペーパ１の表示画面１２に表示される。例えば、電子ペーパ１の表示画面１２に図８（Ａ）に示す縮小画像が表示されている状態で、メモリクリップ２の表示器２５に“３”を表示させて確定キーを操作すると、電子ペーパ１の表示画面１２は図８（Ｂ）に示す状態に変化する。
【００５８】
なお、電子ペーパ１の表示画面１２の上面に透明タッチパネルを配置し、使用者が表示画面１２上で画像の選択操作を行うことができるようにしてもよい。この場合、電子ペーパ１から選択された画像を特定する情報をメモリクリップ２に送信し、メモリクリップ２は電子ペーパ１から送信された情報に対応する画像データを送信する。
【００５９】
また、縮小画面は、メモリクリップ２に記憶されている全ての画像を縮小表示するものだけでなく、これに代えて、又はこれとともに各画像のタイトルを表示するものであってもよい。
【００６０】
図７に示す処理では、縮小画像の送信前に識別情報の確認処理を行うこととし、電子ペーパ１に表示することが許可されている複数の画像データについての縮小画像データを作成するようにしているが、これに代えて、又は、これに加えて、電子ペーパ１に縮小画像を表示している状態で選択された画像データを送信する際に、識別情報を確認するようにしてもよい。この場合に、縮小画像データを構成する各画像データの解像度を低くしたり、複数の画像のタイトルのみによって縮小画像データを構成することもできる。
【００６１】
また、各電子ペーパ１に設定する識別情報を、例えば、部門を特定する部門コードと個人を特定する個人コードとで構成し、部門レベルで表示可能な画像データと個人レベルで表示可能な画像データとを峻別できるようにしてもよい。この場合に、部門レベルで表示可能な画像データについては、識別情報における個人コードの部分を空白にしておく。また、画像データの送信前に識別情報における部門コードの一致を確認し、部門コードが一致する複数の画像データによって構成した縮小画像データを電子ペーパ１に送信し、特定の画像データが選択された後に、識別情報における個人コードの一致を確認するようにしてもよい。
【図面の簡単な説明】
【００６２】
【図１】この発明の実施形態に係る画像表示システムを構成する電子ペーパの平面図である。
【図２】上記画像表示システムを構成する記録媒体であるメモリクリップを示す図であり、同図（Ａ）はメモリクリップの前面図、同図（Ｂ）及び（Ｃ）はそれぞれ同図（Ａ）におけるＸ１−Ｘ１′部分及びＸ２−Ｘ２′部分の側面断面図である。
【図３】上記画像表示システムの構成を示すブロック図である。
【図４】上記画像表示システムにおける画像データの伝送手順を示すフローチャートであり、同図（Ａ）はメモリクリップにおける処理手順を示し、同図（Ｂ）は電子ペーパにおける処理手順を示す。
【図５】上記画像表示システムに適用される電子ペーパの別の例を示す平面図である。
【図６】上記画像表示システムに適用されるメモリクリップにおける識別情報の記憶状態を示す図である。
【図７】上記画像表示システムにおけるメモリクリップの別の画像データ送信処理を示すフローチャートである。
【図８】上記画像表示システムを構成する電子ペーパの表示画面の一例を示す図であり、同図（Ａ）は縮小画面の表示状態を示し、同図（Ｂ）は選択された画像の表示状態を示している。
【符号の説明】
【００６３】
１  電子ペーパ
２  メモリクリップ（記録媒体）
３  画像処理装置（外部装置）
１１  周縁部
１２  表示画面（表示面）
１３  アンテナ（受信手段）
２１  本体
２２  把持体
２７  ＵＳＢ端子（入力手段）
２９  スイッチ（検出手段）
３０  アンテナ（伝送手段）
４１  ＣＰＵ（画像表示手段）
４３  インタフェース回路（ペーパ側受信手段）
４４  表示制御回路（画像表示手段）
５１  ＣＰＵ（制御手段）
５２  画像メモリ（メモリ）
５４  インタフェース回路（入力手段）
５５  インタフェース回路（伝送手段及び媒体側受信手段）
５７  識別情報メモリ
【図１】
2006017906.tif 000003
【図２】
2006017906.tif 000004
【図３】
2006017906.tif 000005
【図４】
2006017906.tif 000006
【図５】
2006017906.tif 000007
【図６】
2006017906.tif 000008
【図７】
2006017906.tif 000009
【図８】
2006017906.tif 000010